(57)【要約】【課題】  魚の嗅覚や味覚についての感覚に対する対応を可能にし、漁獲効果の向上を十分に達成することができるルアーを提供する。【解決手段】  内部に中空部４６を設けたルアー本体４２の前部に水の流入口４７と後部に流出４８を中空部４６と連通するように設け、このルアー本体４２の中空部４６に好魚餌液を含浸さるための保液部材４９を組み込み、該保液部材４９に好魚餌液を含浸させて水中で移動させと、ルアー４１内を通過した水で好魚餌液の匂いと味を水中に放散させることができ、ルアー４１が魚に対する嗅覚や味覚についての感覚にうったえる機能をもち、漁獲効果の向上達成することができる。【選択図】    図１
2005224229.tif 000002
【特許請求の範囲】
【発明の詳細な説明】
【技術分野】
【０００１】  この発明は、魚釣りに使用するルアー及びジグルアーに関する。
【背景技術】
【０００２】  魚釣り用のルアーは、対象とする魚種の習性や季節、時間、天侯、温度等に合わせて選択できるよう、漁獲効果を狙って種々の形状や大きさ、色彩のものが提案されているが、その何れも、魚が好む形状にしたルアー本体の前部に釣り糸との接続部を設け、このルアー本体に適当な数のフック針を取り付けた構造が基本になっている。【０００３】    また、ルアーの一種であるジグルアーは、釣り糸にくくられたジグから釣り針が出ており，この釣り針にワームを取付ける構造になっている。【０００４】  これらルアー及びジグルアーを用いた魚釣りは、水中に投入して釣り糸で水中に引き、或いは、少し止めるなど、アクションをおこすことにより、魚に餌の錯覚を与え、ルアーやワームに食いつかせて釣り上げるものであるものであり、一旦釣り糸に取付ければ、ルアー及びジグルアーは、投入毎に餌を取り替える必要がなく、極めて手間が省け、竿の投入動作に運動牲があってスポーツ性に富み、大衆化している。
【発明の開示】
【発明が解決しようとする課題】
【０００５】  ところで、従来のルアー及びジグルアーは、漁獲効果の向上を目的に、形状や大きさ、柄模様や色彩、材質、移動時に最適なアクションが得られるようにするための形状や構造に工夫が凝らされているが、そめ擬似牲は水中で魚にあたかも真の餌と思わせなければならないので、投入や引きに熟練した技術を必要とし、従って、従来のルアー及びジグルアーにおいては、魚の視覚及び聴覚にうったえて魚を釣り上げんとするものであり、魚のもつ嗅覚や味覚についての感覚に対する対応がなされておらず、漁獲効果の向上を十分に達成していないのが現状である。【０００６】  そこで、この発明の課題は、魚が好む味や匂いによって魚の嗅覚や味覚についての感覚にうったえることができ、漁獲効果の向上を十分に達成することができるルアー及びジグルアーを提供することにある。
【課題を解決するための手段】
【０００７】  上記のような課題を解決するため、請求項１の発明は、内部に中空部分を設けたルアー本体を中空部分に対して水の通過が可能な構造とし、このルアー本体の中空部分に好魚餌液を入れるための保液部材を組み込んだ構成を採用したものである。【０００８】  請求項２の発明は、請求項１の発明において、ルアー本体を、内部の中空部分に対する保液部材の出し入れが自在となるよう、結合と分解が可能な二つ割り構造に形成し、このルアー本体の前部に水の流入口と後部に流出口を中空部分と連通するように設けた構成を採用したものである。【０００９】  請求項３の発明は、ゴムやプラスチックの如き弾性材料を用い、内部に中空部分を有るルアー本体を中空部分に対して水の通過が可能な構造に形成し、このルアー本体の中空部分に好魚餌液を含浸させるための保液部材を組み込んだ構成を採用したものである。【００１０】  請求項４の発明は、内部に中空部分を設けたジグと、このジグに固定した釣り針の組み合わせからなり、ジグを、内部の中空部分に対する保液部材の出し入れが自在となるよう、結合と分解が可能な二つ割り構造に形成し、このジグの前部に水の流入口と後部に流出口を中空部分と連通するように設けた構成を採用したものである。【００１１】  請求項５の発明は、内部に好魚餌液を収納するカートリッジタンクをルアー本体内に着脱可能自在に挿入し、前記ルアー本体の前部に入水孔を設け、前記カートリッジタンクの後端部に、閉弁状態でカートリッジタンク内から好魚餌液の流出を阻止し、開弁時に好魚餌液を流出させるための開閉弁を設け、前記ルアー本体の後方位置に、この開閉弁と連動し、該ルアー本体の水中での強く引くがごとき前進動時に水圧を受けて該開閉弁を開弁させる水中抵抗板を配置した構成を採用したものである。【００１２】  請求項６の発明は、上記カートリッジタンクは、先端部にルアー本体の入水孔と連通する孔が設けられ、内部に好魚餌液と孔から流入した水とを隔離するピストンを前後方向に移動自在となるよう収納し、その後端部に水中抵抗板が開閉弁と連動した状態で取付けられている構成を採用したものである。【００１３】  請求項７の発明は、上記カートリッジタンクは、孔を有するキャップが先端部に着脱自在に取付けられ、このキャップの取り外しによってピストンをカートリッジタンク内に出し入れ自在にしている構成を採用したものである。【００１４】  請求項８の発明は、上記キャップとピストンが可撓性の紐部材で接続されている構成を採用したものである。
【発明の効果】
【００１５】  この発明によると、内部に中空部分を設けたルアー本体やジグを中空部分に対して水の通過が可能な構造とし、このルアー本体やジグの中空部分に好魚餌液を入れて水中で移動させると、ルアー本体やジグの頭部から入った水の圧力で好魚餌液の匂いと味の液を水中に放散させることができ、ルアーやジグルアーがあたかも生き餌のごとくなり、従来になかった魚に対する嗅覚や味覚についての感覚にうったえる機能をもち、これにより、漁獲効果の向上を十分に達成することができる。【００１６】  また、ルアー本体やジグを二つ割り構造としたので、保液部材の出し入れが自由になり、ルアー本体やジグを綺麗な状態で収納できる。【００１７】  さらに、保液部材に好魚餌液を入れるには、ルアー本体やジグを好魚餌液中に縦に入れればよく、下方から液が、上部より空気が出て保液部材に入るので、手を汚すことがない。【００１８】  更に、ルアー本体内に着脱可能に挿入するカートリッジタンクの後端部に、閉弁状態でカートリッジタンク内からの好魚餌液の流出を阻止し、開弁時に好魚餌液を流出させるための開閉弁を設け、前記ルアー本体の後方位置に、この開閉弁と連動し、該ルアー本体の水中での前進動時に水圧を受けて該開閉弁を開弁させる水中抵抗板を配置したので、ルアーを水中で移動させると、水中抵抗板に作用する水圧で開閉弁が開弁し、好魚餌液の匂いと味を水中に放散させることができ、ルアーがあたかも生き餌のごとくなり、従来になかった魚に対する嗅覚や味覚についての感覚にうったえる機能をもち、これにより、ルアー自体そのものに集魚機能が付加され、漁獲効果の向上を十分に達成することができる。【００１９】  また、水中でルアー本体を引けば、緩急を問わず水中抵抗板とルアー本体との間に渦流が生じ、ルアー本体が生きた魚の如く腰を振るので、魚に一層の錯覚を与え、集魚効果の向上が図れる。【００２０】  また、カートリッジタンク内にピストンを移動自在に設けたので、カートリッジタンク内に進入する外部の水と好魚餌液が混ざるのを防ぐことができ、好魚餌液が水でうすまることがなく、好魚餌液の水中に対する放散効果が全量使用まで維持でき、さらに、ルアー本体の前部に設けた入水孔からカートリッジタンク内のピストンに外部の水圧が作用するようにしたので、カートリッジタンク内に充填した好魚餌液の外部への流出が確実に得られることになる。
【発明を実施するための最良の形態】
【００２１】  内部に中空部分を設けたルアー本体を中空部分に対して水の通過が可能な構造とし、このルアー本体の中空部分に好魚餌液を含浸させるための保液部材を組み込む。
【実施例１】
【００２２】  以下、この発明の実施例を図示例と共に説明する。【００２３】  図１に示す第１の実施例のルアー４１は、ルアー本体４２の先端部に釣り糸の結合環４３と周囲の適宜個所に動きの誘発部材４４と所要数のフック針４５を取り付け、ルアー本体４２の内部に中空部４６を形成し、このルアー本体４２の前部に水の流入口４７と後部に所要数の小さな流出口４８を中空部４６と連通するように設け、上記中空部４６に好魚餌液を入れるための保液部材４９を組み込んだ構造になっている。なお、ルアー本体４２に効果的な動きが生じるように、羽根やプロペラ等を設けてもよい。【００２４】  前記ルアー本体４２は、種々の形状を採用できるが、図示の場合、内部中空の魚形とし、前後方向に沿って本体４２ａと蓋部４２ｂからなる二つ割りとし、互いに突き合わせる面の一方に凸軸５０と他方に凸軸５０の嵌合する凹部５１を複数組設け、この本体４２ａと蓋部４２ｂを凸軸５０と凹部５１の嵌め合わせで分離及び組み立て自在になっている。【００２５】  従って、組み立てたルアー本体４２を、背びれや腹部の部分で財布の口の如く引っ張れば、本体４２ａと蓋部４２ｂに分離でき、中空部４６内に収納した使用済の保液部材４９をすて、綺麗な状態でルアー本体４２を収納できる。【００２６】  また、本体と蓋部の組み立ては、図示省略したが、本体と蓋部の突き合わせる面の前後方向にスライド式の係合溝と突条を設け、保液部材４９の出し入れが行えるようにしてもよい。【００２７】  なお、釣り糸をつなぐ結合環４３やフック針４５等の力がかかるものは、本体４２ａ側に取り付けてある。【００２８】  上記ルアー本体４２の大きさや形状、色彩、柄模様等は、対象とする魚種の習性に対応したものを採用すればよいと共に、使用する材質も、ゴム、プラスチック、金属、木等を適宜選択すればよく、中空部４６の形成によりルアー本体２が必要以上に浮く場合は、ルアー本体４２の内外の適当な部分に鉛などを補材として取り付け、重量のバランスをとるようにすればよい。【００２９】  また、頭部の上のテグスに発泡スチロール等の浮揚材を取付け、ルアーを水面近くだけでなく、深度５〜２０ｍなど、任意の水中を泳がせることができるようにしてもよく、従来の蒔き餌よりも良い効果が得られることになる。【００３０】  具体的な材料の例として、ルアー本体４２をゴムや同効のプラスチックのごとき弾性材料を用いて、内部中空の一体構造や接着した構造に形成し、その内部に保液部材４９を収納した構造とすることができ、このような構造とすれば、保液部材４９に対する好魚餌液の注入作業が、好魚餌液内に流入口４７を浸漬させた状態で、ルアー本体４２の腹部分を押して凹ましたのち押圧を解き、丁度スボイドのようにして保液部材４９に好魚餌液を含浸させることができ、好魚餌液の含浸作業が簡単に手を汚すことなく行えるという利点がある。【００３１】  上記ルアー本体４２は、前部に水の流入口４７と後部に流出口４８を中空部４６と連通するように設けてあるので、水中で移動させると、流入口４７から浸入した水が流出口４８に向けて中空部４６内を通過することになる。【００３２】  前記中空都４６内に組み込む保液部材４９は、中空タンクのほか、綿状物��不織布、合成繊維、スポンジ状物等、注入したり含浸させた好魚餌液を保持すると共に、流入口４７から浸入した水が流出口４８に向けて通過しうる機能があるものや、中空部４６内を流れる水に対して好魚餌液を放出するものを用い、従って、図示のように中空部４６を完全に埋める以外に、空間を残すように収納してもよい。【００３３】  上記好魚餌液は、本物の魚やエビ、虫、草類、さなぎ、みみず、ごかい等のエキスを抽出したものや煮汁、これらの粉末を溶かした液体、魚が好む匂いや味が付けられた人工的な液体やオイル等、狙う魚に適したものを用いることができ、この好魚飼液を容器に入れた状態で、魚釣り時に該好魚餌液にルアー本体４２を浸漬させ、これを内部の保液部材４９に含浸させればよい。【００３４】  また、魚から雄又は雌の固有の匂いやフエロモンを抽出し、これを好魚餌液として用いれば、雄又は雌の性別を利用して関心を引きつけることができ、漁獲効果の向上を達成することができる。【００３５】  この発明の第１の実施例であるルアーは上記のような構成であり、魚釣りに先立ち、ルアー本体４２を容器に入れた好魚餌液に浸漬させ、この好魚餌液を内部の保液部材４９に含浸させたのち、ルアー４１を水面に投げ、一般に行われていると同様の方法でルアー４１を前後左右に生き物の如く移動させる。【００３６】  ルアー４１が水中を移動すると、ルアー本体４２の前部に設けた流入口４７から内部に水が浸入し、この水が保液部材４９に含浸させた好魚餌液を含んだ状態で流出口４８から外部に流出し、このため、ルアー４１の移動軌跡や周囲に好魚餌液の匂いと味が雲の如くただよって拡散することになる。【００３７】  したがって、ルアー４１の形状や色彩、動きにより魚の視覚及び聴覚にうったえると同時に、匂いと味の放散により、魚に対して嗅覚や味覚についての感覚にもうったえることができ、これにより、水中環境の中でルアー４１はあたかも生きた餌のようになり、魚の食欲、テリトリー意識、反射的攻撃本能を有効に引き出して多くの魚をルアー４１に引き寄せ、漁獲効果の向上を達成することができる。【００３８】  さらに、一般に魚は逃げる餌を追う本能があり、ルアー４１が少し止まったり引かれると、生き餌として追尾してこれを呑み込み、フック針４５にかかることになる。【００３９】  また、ルアー本体４２内の保液部材４９に好魚餌液を含浸させるには、容器内の好魚餌液にルアー本件４２を浸漬させるだけでよいので、手を汚すことがないと共に、ルアー４１の引きの都度僅かずつ好魚餌液がしみだすから、水中への投入毎に好魚餌液を補給する必要はない。【００４０】  上記のような第１の実施例において、ルアー本体４２の形状と好魚餌液の選択で各種魚類の友釣、例えば、ルアー本体４２を鮎の形と色彩に形成し、内部の保液部材４９に鮎の匂いのする好魚餌液を含覆させれば、ルアー４１を用いて鮎の友釣が可能になる。
【実施例２】
【００４１】  図２に示す第２の実施例は、ジグルアー６１の例を示し、釣り糸が連結されるジグ６２に釣り針６３が設けられ、この釣り針６３にワーム６４が取り付けられる。上記ジグ６２は第１の実施例のルアー４１と同様の構造を有し、同一部分には同一符号を付して説明に代える。【００４２】  ジグ６２は分離と組み立てが自在となる本体６２ａと蓋部６２ｂとからなり、内部の中空部４６内に保液部材４９を収納し、前部に流入口４７と後部に流出口４８が設けられ、保液部材４９に好魚餌液を含浸させた状態で水中を移動させると、好魚餌液を含んだ水が流出口４８から外部に流出し、ワーム６４の周囲を好魚餌液の匂いと味がつつみ、ワーム６４はあたかも生きた餌のようになり、魚に対して嗅覚や味覚についての感覚にもうったえ、漁獲効果の向上を達成することができる。【００４３】  上記、ジグ６２は、ゴムやプラスチック等の弾性材料を用いて一体構造に形成してもよいと共に、図２（Ｂ）のように、流出口４８に糸６５を通液性のある状態で束ねたものを差し込んで取付け、流出口４８からの好魚餌液の流出を緩慢にし、好魚餌液が緩やかに漂うように流出させることができるようにすることができ、このような糸６５の束ねたものに代えて、通水性のある多孔質部材を流出口４８に設けるようにしてもよい。
【実施例３】
【００４４】  図３と図７に示すように、第３の実施例のルアー１は、ルアー本体２の先端部に釣り糸の結合環３と、周囲の適宜個所に動きの誘発部材４と所要数のフック針５を解り付け、ルアー本体２に後端で開放する中空孔６を前後方向に沿って設け、この中空孔６に好魚飯液Ａを収納するカートリッジタンク７を後部から抜さ差し自在に挿入し、該カートリッジタンク７の後端部に、閉弁状態でカートリッジタンク７内からの好魚餌液Ａの流出を阻止し、開弁時に好魚餌液Ａを流出させるための開閉弁８と、前記ルアー本体２の後方に位置し、この開閉弁８と連動し、該ルアー本体２の水中での少し引きの強い前進動時に水圧を受けて該開閉弁８を開弁させる水中抵抗板９を設けた構造になっている。なお、ルアー本体２に効果的な動さが生じるように、羽根やプロペラ等を設けてもよい。【００４５】  前記ルアー本体２は、種々の形状を採用でさるが、図示の場合魚形とし、その前部の適当な位置に、外部から中空孔６の先端に達する入水孔１０が設けられている。【００４６】  ルアー本体２の中空孔６に挿入するカートリッジタンク７は、図３と図４に示すように、中空孔６内に納まる長さを有する円筒部１１の先端部にキャップ１２をねじで着脱自在に解り付け、円筒部１１の後端部に開閉弁８と水中抵抗板９を取付け、円筒部１１の内部にピストン１３を前後軸方向に移動自在となるよう収納するようにしている。【００４７】  上記円筒部１１内は、ピストン１３の挿入で容積が可変となる前後の室に仕切られ、後部の室が好魚餌液Ａを充填する収納部分で、前部の室が水の流入室となり、上記キャップ１２には、中空孔６にカートリッジタンク７を挿入した状態で入水孔１０と連通し得る孔１４が設けられ、好魚餌液Ａが流出した減少分だけ前部の流入室に水が流入することになる。【００４８】  このピストン１３は、円筒部１１内に充填した好魚餌液Ａと前部の流入室に流入した水が混ざって好魚飯液Ａがうすくならないように隔離するためのものであり、図示例ではＯリング１５を取り付けたが、これは省略してもよい。【００４９】  該ピストン１３は、好魚餌液Ａを補充するために、キャップ１２を円筒部１１の先端から取り外すことにより、円筒部１１内に出し入れ自在となり、キャップ１２とピストン１３は可擁性の紐部材１６で接続され、キャップ１２を取外した時に円筒部１１内からピストン１３を簡単に取り出すことができるようにしている。【００５０】  また、中空孔６に挿入したカートリッジタンク７のルアー本体２に対する着脱自在の固定手段は、図示の場合、中空孔６の開口端部内周面とカートリッジタンク７の後端部外周面とに設けたねじで結合する例を示したが、ルアー本体２にねじ込んだビスでカートリッジタンク７を固定したり、中空孔６にカートリッジタンク７を圧入団定するようにしてもよい。【００５１】  なお、カートリッジタンク７の直径や長さは、ルアー本体２の大ささに合わせて設定すればよい。【００５２】  前記カートリッジタンク７の後端に設けた開閉弁８は、該タンク７の後壁中央部にゴム等の弁座部材１７を内外に貰通するよう水蜜に固定し、この弁座部材１７に内端が小径となるテーパの弁孔１８を貰通状に形成し、該弁孔１８を開閉するよう弁孔１８の大径側に弁体１９を配置した構造を有し、該弁体１９は弁孔１８を大径側端部で閉鎮し得るテーパ状となり、その先端に弁孔１８内へ突出する小径軸２０を設けた構造になっており、開弁時に弁体１９が傾動しても小径軸２０が弁孔１８内に残り、弁体１９の閉弁位置への復帰が確実に得られるようにしている。【００５３】  この開閉弁８の弁体１９は、カートリッジタンク７の後端に設けた水中抵抗板９に取付けられ、該水中抵抗板９の動さによって弁孔１８を開閉することになる。【００５４】  図３と図４に示す実施例の水中抵抗板９は、弾性のある板を用い、カートリッジタンク７の後端に対する埋め込み固定部２１に連ねてＵ字状に屈曲させたスプリング部２２を設け、このスプリング部２２の延長を上方への立ち上がり部２３とし、上がり部２３の上端に水圧受け部２４を達成したものであり、立ち上がり部２３に上記開閉弁８の弁体１９が取り付けられ、水圧受け部２４は、カートリッジタンク７をルアー本体２に取付けたとさ、ルアー本体２の後部上方に位置し、ルアー本体２の形状を不自然にしない状態で水中でのルアー本体２の前進動時に水圧を効果的に受けるようになっている。【００５５】  上記水中抵抗板９は、水圧受け部２４にルアー本体２の前進動時の水圧がかからないとき、図３（Ａ）と図４のようにスプリング部２２の弾性で開閉弁８の閉弁状態を保ち、カートリッジタンク７内に充填した好魚餌液Ａが流出しないようにしていると共に、水圧受け部２４にルアー本体２の前進動時の水圧を受けたときは、図３（Ｂ）の如く、スプリング部２２が後方に撓み、弁体１９の位相をずらし、弁孔１８を開放して好魚餌液Ａを流出させることになる。【００５６】  また、好魚餌液Ａ自体にも停止或いは緩慢なイナーシャがあるので、やや強く道糸を引けば、開閉弁８の開弁と共に好魚餌液Ａも自然に流出する。【００５７】  図７（Ａ）、（Ｂ）と図８（Ａ）、（Ｂ）に示すように、上記水中抵抗板９の水圧受け部２４は、立ち上がり部から水圧受け部２４を円形のプレートにより一体構造としたり、円形のプレートの周囲に前方へ傾斜するよう設けた周壁部で水圧受け部２４を形成した構造を採用してもよい。【００５８】  図７と図８（Ａ）、（Ｂ）は、水中抵抗板９の他の実施例を示し、水中抵抗板９はルアー本体２の後部を上下に覆うような前方に向けて凹入する弧状の板で形成し、カートリッジタンク７の後部に突設した複数のガイド軸２５に前後動可能となるよう取付け、ガイド軸２５の後端に固定した止め板２６と水中抵抗板９の問にコイルばね２７を縮設し、図８（Ａ）のように、水中抵抗板９の中央前面に取付けた開閉弁８の弁体１９に該水中抵抗板９を介して弁孔１８を常時閉鎖する方向の弾性を付勢し、弁体１９は後面に突設したガイドピン２８が水中抵抗板９を貫通して一体動するよう結合され、弁体１９の前後動はガイドピン２８が止め板２６を貫通する部分で誘導されている。なお、この実施例及び、後述するいか釣り用縦引きルアーの実施例におけるカートリッジタンク７は図３と図４に示したものと同様の構造になっている。
【実施例４】
【００５９】  図９は、ルアー１としていか釣り用縦引きルアーの実施例を示し、上下に長いルアー本体２に下部から、前記した構造のカートリッジタンク７を抜き差し自在に挿入し、一方いか釣り針２９のバー３０を該本体２の側部に解り付けた構造になっており、同図のように、ルアー１の少し強い引さ上げ時に水中抵抗板９で開閉弁８が開くようになっているが、いか釣り針２９にかかったいかを引き上げる場合の速度では水中抵抗板９は開閉弁８を開かないようになっている。【００６０】  上記した各ルアー本体２の大きさや形状、色彩、柄模様等は、対象とする魚種の習性に対応したものを採用すればよいと共に、使用する材質も、ゴム、プラスチック、金属、木等を適宜選択すればよく、材質によってルアー本体２が必要以上に浮く場合は、ルアー本体２の内外の適当な部分に鉛などを補材として取付け、重量のバランスをとるようにすればよい。【００６１】  前記カートリッジタンク７内に充填する好魚餌液Ａは、第１と第２の実施例で述べたものと同様であり、この好魚餌液Ａをカートリッジタンク７内に充填すればよい。【００６２】  第３と第４の実施例のルアーは上記のような構成であり、魚釣りに先立ち、カートリッジタンク７の円筒部１１内に好魚餌液Ａを充填し、この円筒部１１内にピストン１３を挿入して開口端をキャップ１２で閉鎖しておき、このカートリッジタンク７をルアー本体２の中空孔６内に挿入して取り付け、カートリッジタンク７の後端に設けた水中抵抗板９をルアー本体２の後部に位置させる。【００６３】  この状態でルアー１を水面に投げ、一般に行われていると同様の方法でルアー１を前後左右に生き物の如く移動させる。ルアー１を投げたとき、水中抵抗板９は空中にある問は空気圧を受けるが、水中抵抗板９を介して開閉弁８を閉弁させる弾性の方が大きいため、空中において開閉弁８が開弁して好魚餌液Ａが流出するようなことはない。【００６４】  ルアー１が水中にある状態で、普通にゆっくりと引けば開閉弁８は開かないが、釣り糸をやや少し強く引いてルアー１が前進移動したとき、水中抵抗板９は開閉弁８を閉弁させる弾性よりも大きな水圧を受けることになり、この水圧でルアー本体２に対して水中抵抗板９は相対的に後方へ移動し、該水中抵抗板９と一体に移動する弁体１９は、図３（Ｂ）、図７、図８（Ｂ）、図９に示すように弁孔１８を開放すると共に、ルアー１の前進方向の移動が緩慢又はなくなると、水中抵抗板９に作用する水圧は低下し、開閉弁８を閉弁させる弾性で水中抵抗板９は元の位置に復帰し、図３（Ａ）、図６（Ａ）のように開閉弁８は閉じることになる。【００６５】  ルアー１の前進移動による開閉弁８の開弁時において、カートリッジタンク７内に充填した好魚餌液Ａは、釣り糸の引さによるルアー１の前進移動により、後方へ向けての慣性力が付与され、しかも、ルアー本体２の前部に設けた入水孔１０から中空孔６内に水が進入し、その水圧がカートリッジタンク７のピストン１３に後方へ押すよう作用する。【００６６】  このため、カートリッジタンク７内に充填した好魚餌液Ａは、後端の弁孔１８から外部へ確実に流出し、ルアー１の移動軌跡や周囲に好魚餌液の匂いと味が雲の如くただよって拡散することになる��【００６７】  したがって、ルアー１の形状や色彩、動きにより魚の視覚及び聴覚にうったえると同時に、匂いと味の放散により、魚に対して嗅覚や味覚についての感覚にもうったえることができ、これにより、水中環境の中でルアー１はあたかも生きた魚や虫のようになり、魚の食欲、テリトリー意識、反射的攻撃本能を有効に引き出して多くの魚をルアー１に確実に引き寄せ、漁獲効果の向上を達成することができる。【００６８】  さらに、一般に魚は逃げる餌を追う本能があり、ルアー１が少し止まったり引かれると、生き餌として追尾してこれを呑み込み、または、ルアー１に接近することにより、フック針５にかかることになる。【００６９】  上記のように、ルアー１が引かれて前進動するごとに開閉弁８は間欠的に開弁し、カートリッジタンク７内の好魚飯液Ａを弁孔１８から外部へ流出させることになり、カートリッジタンク７内のピストン１３は好魚餌液Ａの滅少分だけ後方に移動する。【００７０】  従って、カートリッジタンク７内の好魚餌液Ａを使い果たすと、ルアー１を引き上げ、ルアー本体２から空のカートリッジタンク７を取り外し、ルアー本体２に好魚餌液Ａを充填してある予備のカートリッジタンクを取付けて魚釣りを続ければよい。【００７１】  上記のような実施例において、ルアー本体２の形状と好魚餌液の選択で各種魚類の友釣、例えば、ルアー本体２を鮎の形と色彩に形成し、カートリッジタンク７内に鮎の匂いのする好魚餌液を充填すれば、ルアー１を用いて鮎の友釣が可能になる。【００７２】  また、カートリッジタンク７は、ルアー本体２に対して着脱自在となっているので、カートリッジタンク７の長さや直径、着脱のためのねじ等を複数種類規格化し、ルアー本体２に設ける中空孔６もこれに合わせるようにすると、ルアー１とカートリッジタンク７の新たな販売形態の実現が可能になる。
【実施例５】
【００７３】  図１０の実施例５は、上記した第３の実施例のルアー１の変形例であり、好魚餌液Ａの注入の手間を簡略化できるようにしたもので、ルアー本体２を頭部２ａと胴体部２ｂに分離し、胴体部２ｂの下部先端に頭部２ａを蝶番２ｃで取付け、ルアー本体２に設けた中空孔６の先端開口を頭部２ａで開閉自在とし、頭部２ａの閉鎖位置は、板ばねを用いた弾性係止部材２ｄを胴体部２ｂの凹部に係止することによって保持し、この閉鎖状態で頭部２ａに設けた嵌合突部２ｅが中空孔６に嵌合し、中空孔６の開口を水密に閉鎖するようになっている。【００７４】  この図示例では、カートリッジタンク７を省いて中空孔６に直接好魚餌液を収納するようにしている。また、中空孔６にピストン１３を組み込んだか、構造を簡略化するために、このピストン１３を省略するようにしてもよい。
【図面の簡単な説明】
【００７５】
【図１】（Ａ）は第１の実施例のルアーの外形を示す正面図、（Ｂ）はルアーの縦断正面図、（Ｃ）はルアーの縦断側面図
【図２】（Ａ）は第２の実施例であるジグルアーの外形を示す正面図、（Ｂ）はジグルアーの要部を拡大した縦断正面図
【図３】（Ａ）は第３の実施例のルアーにおける水中抵抗板を示す開閉弁の閉弁状態の一部切り欠き正面図、（Ｂ）は開閉弁の部分の開弁状態を示す縦断正面図
【図４】ルアー本体に取付けるカートリッジタンクの構成部材を分解状態で示す断面図
【図５】（Ａ）はルアー本体に取付ける開閉弁の部分の閉弁状態を示す縦断正面図、（Ｂ）は開閉弁の斜視図
【図６】（Ａ）はルアー本体に取付ける開閉弁の他の例を示す閉弁状態を示す縦断正面図、（Ｂ）は開閉弁の斜視図
【図７】（Ａ）はルアーに設ける水中抵抗板の他の例を示す開閉弁の閉弁状態の一部切り欠き正面図、（Ｂ）は開閉弁の部分の開弁状態を示す縦断正面図
【図８】（Ａ）は上記開閉弁の閉弁状態を拡大した縦断正面図、（Ｂ）は同じく開閉弁の開弁状態を示す縦断正面図
【図９】第４の実施例であるいか釣り用縦引きルアーの実施例を示す断面図
【図１０】（Ａ）は第３の実施例のルアーにおける変形例を示す第５の実施例の縦断正面図、（Ｂ）は同上の頭部を開いた状態の縦断正面図
【符号の説明】
【００７６】１          ルアー
２          ルアー本体
３          結合環
４          誘発部材
５          フック針
６          中空孔
７          カートリッジタンク
８          開閉弁
９          水中抵抗板
１０        入水孔
１１        円筒部
１２        キャップ
１３        ピストン
１４        孔
１５        ０リング
１６        紐部材
１７        弁座部材
１８        テーパの弁孔
１９        弁体
２０        小径軸
２１        固定部
２２        スプリング部
２３        立ち上がり部
２４        水圧受け部
２５        ガイド軸
２６        止め板
２７        コイルばね
２８        ガイドピン
４１        ルアー
４２        ルアー本体
４３        釣り糸の結合環
４５        フック針
４６        中空部
４７        流入口
４８        流出口
４９        保液部材
６１        ジグルアー
６２        ジグ
６３        釣り針
６４        ワーム
６５        糸
【図１】
2005224229.tif 000003
【図２】
2005224229.tif 000004
【図３】
2005224229.tif 000005
【図４】
2005224229.tif 000006
【図５】
2005224229.tif 000007
【図６】
2005224229.tif 000008
【図７】
2005224229.tif 000009
【図８】
2005224229.tif 000010
【図９】
2005224229.tif 000011
【図１０】
2005224229.tif 000012